(57)【特許請求の範囲】
【請求項１】
第１コンクリートにより構築される柱と、
壁縦筋及び壁横筋を有すると共に第２コンクリートによりＮ階からＮ＋２階に亘って構築され、前記柱に接合される壁と、
前記壁縦筋に重ならない位置に設けられ、各階における前記壁の一部を構成する複数のＰＣａ部分壁とを備え、
前記ＰＣａ部分壁が、前記壁縦筋のピッチよりも小さな壁延在方向長さを有すると共に、少なくとも定着長さ分を突出させる態様で前記壁横筋が一体に形成され、
Ｎ＋１階の前記ＰＣａ部分壁が、Ｎ階及びＮ＋２階の前記ＰＣａ部分壁に対して前記柱から離れる側にオフセットした位置に設けられることを特徴とするＲＣ建物。
【請求項２】
前記Ｎ階及び前記Ｎ＋２階において、前記ＰＣａ部分壁が前記柱と前記壁との接合部に設けられたことを特徴とする請求項１に記載のＲＣ建物。
【請求項３】
前記Ｎ階及びＮ＋２階において、前記ＰＣａ部分壁が前記壁の延在方向の中間部に設けられ、前記壁における前記ＰＣａ部分壁に対して前記柱側の部分が前記第１コンクリートにより構築されたことを特徴とする請求項１に記載のＲＣ建物。
【請求項４】
第１コンクリートにより構築される柱と、壁縦筋及び壁横筋を有すると共に第２コンクリートにより複数階に亘って構築され、前記柱に接合される壁とを有するＲＣ建物の構築方法であって、
前記壁縦筋のピッチよりも小さな壁延在方向長さを有すると共に、少なくとも定着長さ分を突出させる態様で前記壁横筋が一体に形成された複数のＰＣａ部分壁を用意するステップと、
Ｎ階にて柱筋を組み立てるステップと、
前記Ｎ階にて、Ｎ−１階で前記壁の構築のために組み立てられて上方へ突出する前記壁縦筋が倒れた状態で、前記壁横筋が前記柱筋に干渉しない位置で前記ＰＣａ部分壁を吊り下ろし、前記壁横筋が前記柱筋内の所定の位置に侵入するように前記ＰＣａ部分壁を横にスライドさせて、前記ＰＣａ部分壁を倒れている前記壁縦筋に重ならない所定の位置に配置するステップと、
前記ＰＣａ部分壁の配置後、前記Ｎ階にて、倒れている前記壁縦筋を曲げ起こし、前記壁横筋及び前記壁縦筋を組み立てるステップと、
前記Ｎ階にて、柱型枠及び壁型枠を組み立てるステップと、
前記Ｎ階にて、前記ＰＣａ部分壁に対して前記柱型枠側の型枠内に前記第１コンクリートを打設するステップと、
前記Ｎ階にて、前記ＰＣａ部分壁に対して前記柱型枠と相反する側の型枠内に前記第２コンクリートを打設するステップと
を含むことを特徴とするＲＣ建物の構築方法。
【発明の詳細な説明】
【技術分野】
【０００１】
本開示は、ＲＣ（鉄筋コンクリート造）建物に用いるＰＣａ（プレキャストコンクリート）部分壁及びＰＣａ部分梁、ＰＣａ部分壁又はＰＣａ部分梁を備えたＲＣ建物、並びにＰＣａ部分壁又はＰＣａ部分梁を用いたＲＣ建物の構築方法に関する。
【背景技術】
【０００２】
ＲＣ建物では、梁とスラブ、或いは梁の上部と下部等、部位によって必要とされるコンクリート強度が異なることがある。このように部位ごとに強度の異なるコンクリートを打ち分ける工法として、梁の下部に比較的高強度の先打ちコンクリートを打設し、先打ちコンクリートが硬化する前に、比較的低強度の後打ちコンクリートを梁の上部及びスラブに打設し、先打ちコンクリートと後打ちコンクリートとの境界面を混合して両コンクリートの間に混合層を形成するものが公知である（特許文献１、２参照）。
【先行技術文献】
【特許文献】
【０００３】
【特許文献１】特許第３５１１１５９号公報
【特許文献２】特許第５１４３２１３号公報
【発明の概要】
【発明が解決しようとする課題】
【０００４】
ところで、ＲＣ建物では、壁や梁に比べて柱に高い圧縮強度が必要になることが多い。
しかしながら、特許文献１、２に記載の工法は、高さの異なる部位に対して強度の異なるコンクリートの打ち分けを行うものである。従って、例えば、柱と壁とでコンクリートを打ち分けることや、柱と梁とでコンクリートを打ち分けることはできない。
【０００５】
このように同じ高さに互いに隣接して設けられる部位のコンクリートの圧縮強度が異なる場合であっても、各部位を互いに接合させる必要がある。即ち、壁や梁は柱に接合させる必要がある。そのため、強度の異なるコンクリートを用いて同じ高さの部位を打ち分ける場合には、鉄筋を挿通させたコンクリート止めを境界部に鉛直方向に設けなければならない。
【０００６】
ところが、このようにコンクリート止めを設けてコンクリートの打ち分けを行うと、作業が煩雑になる。施工性を高めるために、高い強度のコンクリートを用いてこれらの部位を同時に構築（コンクリート打設）することも可能であるが、このようにすると材料費が高くなる。
【０００７】
近年では、現場でコンクリートを打設せずに、予め工場で製作したＰＣａ部材を施工現場に搬入し、揚重機を用いてＰＣａ部材を組み立てることによってＲＣ建物を構築する方法が多く行われている。この方法では、コンクリートを打ち分ける部位ごとにＰＣａ部材を製作すれば、コンクリート止めを設ける必要は生じない。一方、ＰＣａ部材の数が多くなるとその分だけ接合箇所が増え、コストや施工手間が増大する。また、柱や梁等の大きな部位をＰＣａ部材によって構築する場合には、部材の搬入や組み立てに大型の揚重機が必要になり、これによっても施工コストが増大する。
【０００８】
本発明は、このような背景に鑑み、ＲＣ建物の施工現場においてコンクリート止めを設けることなく壁や梁のコンクリートと柱のコンクリートとの打ち分けを可能にすると共に、コスト及び施工手間の増大を抑制することを課題とする。
【課題を解決するための手段】
【０００９】
上記課題を解決するために、本発明は、壁縦筋（５１）のピッチ（Ｐ５１）よりも小さな壁延在方向長さ（Ｌ１）を有すると共に、少なくとも定着長さ（Ｌ２）分を突出させる態様で壁横筋（５２）が一体に形成されたＰＣａ部分壁（１１（１０））を提供する。
【００１０】
また、上記課題を解決するために、本発明は、第１コンクリートにより構築される柱（２）と、前記壁縦筋（５１）及び壁横筋（５２）を有すると共に第２コンクリートにより構築され、前記柱に接合される壁（５）と、前記壁縦筋に重ならない位置に設けられ、前記壁の一部を構成する上記のＰＣａ部分壁（１１（１０））とを備えるＲＣ建物（１）を提供する。
【００１１】
また、上記課題を解決するために、本発明は、上記のＰＣａ部分壁（１１（１０））を用意するステップ（図２）と、柱筋（２１、２２）を組み立てるステップ（図３（Ａ））と、前記ＰＣａ部分壁を壁縦筋（５１）に重ならない所定の位置に配置するステップ（図３（Ｂ）〜図４（Ｃ））と、前記壁横筋（５２）及び壁縦筋（５１）を組み立てるステップ（図４（Ｄ））と、柱型枠（７）及び壁型枠（８）を組み立てるステップ（図５（Ｅ））と、前記ＰＣａ部分壁に対して前記柱型枠側の型枠内に第１コンクリートを打設するステップ（図５（Ｆ））と、前記ＰＣａ部分壁に対して前記柱型枠と相反する側の型枠内に第２コンクリートを打設するステップ（図６（Ｇ））とを含むＲＣ建物（１）の構築方法を提供する。
【００１２】
これらの構成によれば、ＰＣａ部分壁を、壁を構築する位置に配置し、ＰＣａ部分壁の壁横筋を含めて鉄筋を組み立てると共にＰＣａ部分壁を壁厚方向から挟むように型枠を組み立てることにより、コンクリート止めを設けることなく壁のコンクリートと柱のコンクリートとを打ち分けることができる。これにより、作業が煩雑になることがなく、また、高い材料を必要以上に多く用いる必要がないため材料コストを低減できる。更に、ＰＣａ部分壁は壁延在方向長さが小さく軽量であるため、施工現場に大型の揚重機が必要になることもない。
【００１３】
また、上記のＲＣ建物（１）において、前記ＰＣａ部分壁（１１（１０））が前記柱（２）と前記壁（５）との接合部に設けられた構成とするとよい。同様に、上記のＲＣ建物の構築方法において、前記ＰＣａ部分壁を前記柱と前記壁との接合部に配置する構成とするとよい。
【００１４】
これらの構成によれば、ＰＣａ部分壁により構成される部分を除く壁全体を第２コンクリートにより構築できる。なお、ＰＣａ部分壁を柱に突入しないように壁の端部に配置する場合には、第２コンクリートを用いてＰＣａ部分壁を製作することによって壁全体を第２コンクリートにより構築できる。
【００１５】
また、上記のＲＣ建物（１）において、前記ＰＣａ部分壁（１１（１０））が前記壁（５）の延在方向の中間部に設けられ、前記壁における前記ＰＣａ部分壁に対して前記柱（２）側の部分が第１コンクリートにより構築された構成とするとよい。同様に、上記のＲＣ建物の構築方法において、前記ＰＣａ部分壁を前記壁の延在方向の中間部に配置し、前記壁における前記ＰＣａ部分壁に対して前記柱側の部分に第１コンクリートを打設する構成とするとよい。
【００１６】
これらの構成によれば、壁のＰＣａ部分壁よりも柱側の部分が第１コンクリートにより構築されることになるが、施工の容易性を考慮して所望の位置にＰＣａ部分壁を設けることができる。また、工区境が壁の中間部にある場合等には、壁の延在方向の一部分だけを構築することもできる。
【００１７】
また、上記課題を解決するために、本発明は、壁縦筋（５１）のピッチ（Ｐ５１）よりも小さな梁延在方向長さ（Ｌ２）を有すると共に、少なくとも定着長さ分（Ｌ３）を突出させる態様で梁主筋（４１）が一体に形成されたＰＣａ部分梁（１２（１０））を提供する。
【００１８】
また、上記課題を解決するために、本発明は、第１コンクリートにより構築される柱（２）と、梁主筋（４１）及びスターラップ（４２）を有すると共に第２コンクリートにより構築され、前記柱に接合される梁（４）と、前記壁縦筋（５１）に重ならない位置に設けられ、前記梁の一部を構成する上記のＰＣａ部分梁（１２（１０））とを備えるＲＣ建物（１）を提供する。
【００１９】
また、上記課題を解決するために、本発明は、上記のＰＣａ部分梁（１２（１０））を用意するステップ（図２、図７）と、柱筋（２１、２２）を組み立てるステップ（図３（Ａ）、図８（Ａ）、図１０（Ａ）〜（Ｃ））と、前記ＰＣａ部分梁を前記壁縦筋（５１）に重ならない所定の位置に配置するステップ（図３（Ｂ）〜図４（Ｃ）、図８（Ａ）〜（Ｂ）、図１０（Ａ）〜（Ｂ））と、前記梁主筋（４１）、スターラップ（４２）及び前記壁縦筋（５１）を組み立てるステップ（図４（Ｄ）、図８（Ｂ）、図１０（Ａ））と、柱型枠（７）及び梁型枠（８、９）を組み立てるステップと、前記ＰＣａ部分梁に対して前記柱型枠側の型枠内に第１コンクリートを打設するステップ（図５（Ｆ）、図９（Ｄ））と、前記ＰＣａ部分梁に対して前記柱型枠と相反する側の型枠内に第２コンクリートを打設するステップ（図６（Ｇ）、図９（Ｅ））とを含むＲＣ建物（１）の構築方法を提供する。
【００２０】
これらの構成によれば、ＰＣａ部分梁を、梁を構築する位置のうち、壁縦筋に重ならない位置に配置し、ＰＣａ部分梁の梁主筋を含めて鉄筋を組み立てると共にＰＣａ部分梁を下方及び両側方の３方から取り囲むように型枠を組み立てることにより、コンクリート止めを設けることなく梁のコンクリートと柱のコンクリートとを打ち分けることができる。これにより、作業が煩雑になることがなく、また、高い材料を必要以上に多く用いる必要がないため材料コストを低減できる。更に、ＰＣａ部分梁は梁延在方向長さが小さく軽量であるため、施工現場に大型の揚重機が必要になることもない。
【００２１】
また、上記のＲＣ建物（１）において、前記ＰＣａ部分梁（１２（１０））が前記柱（２）と前記梁（４）との接合部に設けられた構成とするとよい。同様に、上記のＲＣ建物の構築方法において、前記ＰＣａ部分梁を前記柱と前記梁との接合部に配置する構成とするとよい。
【００２２】
これらの構成によれば、ＰＣａ部分梁により構成される部分を除く梁全体を第２コンクリートにより構築できる。なお、ＰＣａ部分梁を柱に突入しないように梁の端部に配置する場合には、第２コンクリートを用いてＰＣａ部分梁を製作することによって梁全体を第２コンクリートにより構築できる。
【００２３】
また、上記のＲＣ建物において、前記ＰＣａ部分梁（１２（１０））が前記梁（４）の延在方向の中間部に設けられ、前記梁における前記ＰＣａ部分梁に対して前記柱（２）側の部分が第１コンクリートにより構築された構成とするとよい。同様に、上記のＲＣ建物の構築方法において、前記ＰＣａ部分梁を前記梁の延在方向の中間部に配置し、前記梁における前記ＰＣａ部分梁に対して前記柱側の部分に第１コンクリートを打設する構成とするとよい。
【００２４】
これらの構成によれば、梁のＰＣａ部分梁よりも柱側の部分が第１コンクリートにより構築されることになるが、施工の容易性を考慮して所望の位置にＰＣａ部分梁を設けることができる。また、工区境が梁の中間部にある場合等には、梁の延在方向の一部分だけを構築することもできる。
【発明の効果】
【００２５】
このように本発明によれば、ＲＣ建物の施工現場においてコンクリート止めを設けることなく壁や梁のコンクリートと柱のコンクリートとの打ち分けを可能にすると共に、コスト及び施工手間の増大を抑制することができる。
【図面の簡単な説明】
【００２６】
【図１】第１実施形態に係るＲＣ建物の複数階部分を示す側面図
【図２】第１実施形態に係るＰＣａ壁部材の（Ａ）側面図、（Ｂ）正面図
【図３】第１実施形態に係るＲＣ建物の構築手順の説明図
【図４】第１実施形態に係るＲＣ建物の構築手順の説明図
【図５】第１実施形態に係るＲＣ建物の構築手順の説明図
【図６】第１実施形態に係るＲＣ建物の構築手順の説明図
【図７】第２実施形態に係るＰＣａ部分梁の斜視図
【図８】第２実施形態に係るＲＣ建物の構築手順の説明図
【図９】第２実施形態に係るＲＣ建物の構築手順の説明図
【図１０】第２実施形態に係るＲＣ建物の他の構築手順の説明図
【発明を実施するための形態】
【００２７】
以下、図面を参照して、本発明の実施形態について詳細に説明する。
【００２８】
≪第１実施形態≫
まず、図１〜図６を参照して第１実施形態に係るＲＣ建物１について説明する。図１は、本発明の第１実施形態に係るＲＣ建物１における複数階に亘る部分の側面を、現場打ちのコンクリートを透視して示している。図示されるように、ＲＣ建物１は、図示しない基礎の上に構築される多層建物である。ＲＣ建物１は、桁行方向（紙面に直交する方向）に３列以上に、及び梁間方向（紙面の左右方向）に２列に並べられた複数の柱２を有するいわゆる板状構造となっている。なお、図１には、ＲＣ建物１における梁間方向の左側部分のみが示されているが、ＲＣ建物１の右側部分は左側部分と対称的に構成される。
【００２９】
ＲＣ建物１は、桁行方向において、同方向に延在するように各階に設けられた梁３の両端が一対の柱２に剛接合されたラーメン構造とされている。また、ＲＣ建物１は、梁間方向において、同方向に延在するように各階に設けられた梁４及び耐震壁５の両端が一対の柱２に剛接合された、耐震壁５を有するラーメン構造とされている。梁間方向に設けられた耐震壁５は、平面視で同じ位置に配置され、上下方向に連続する連層耐震壁６を構成している。
【００３０】
本実施形態では、梁間方向に延在する梁４の幅が耐震壁５の壁厚と同じ寸法となっている。他の実施形態では、梁４の幅が耐震壁５の壁厚よりも大きな寸法とされてもよい。或いは、ＲＣ建物１は、梁間方向については、梁４が設けられずに耐震壁５のみが設けられて一対の柱２に剛接合される壁式構造とされてもよい。更に、ＲＣ建物１は、桁行方向についても梁４が設けられない壁式構造とされてもよい。
【００３１】
ＲＣ建物１は、梁４及び耐震壁５における柱２との接合部近傍の一部がＰＣａ部材１０により構築され、それ以外の大部分が現場打ちのコンクリートによって構築された部分プレキャスト構造となっている。柱２は、比較的高強度の第１コンクリートを用いて現場で構築される。耐震壁５及び梁４の大部分は、比較的低強度の第２コンクリートを用いて現場で構築される。また、梁４の上部に接合する図示しない床は、梁４及び耐震壁５と同じ第２コンクリートを用いて現場で構築される。或いは、第２コンクリートよりも低強度の第３コンクリートを用いて床が構築されてもよい。
【００３２】
柱２は、複数の柱主筋２１と、柱主筋２１の周りに柱主筋２１を取り囲むように配置された複数のフープ筋２２とを有している。梁４は、複数の梁主筋４１（上端筋４１Ｕ及び下端筋４１Ｌ）と、梁主筋４１の周りに梁主筋４１を取り囲むように配置された複数のスターラップ４２とを有している。耐震壁５は、壁縦筋５１及び壁横筋５２を有しており、壁縦筋５１及び壁横筋５２が壁厚方向に２列に配置されたダブル配筋となっている。スターラップ４２のピッチＰ４２は、壁縦筋５１のピッチＰ５１よりも小さくなっている。
【００３３】
図２に併せて示されるように、ＰＣａ部材１０は、コンクリート部が耐震壁５及び梁４と同断面を有し、且つスターラップ４２のピッチＰ４２及び壁縦筋５１のピッチＰ５１よりも小さな延在方向長さＬ１（図１の左右方向の長さ）を有する構成とされている。ＰＣａ部材１０は、上記の第２コンクリートやそれよりも高強度のコンクリートを用いて工場やＲＣ建物１の敷地内のヤードで製作される。ＰＣａ部材１０は、当該延在方向長さＬ１を有する耐震壁５の一部をなすＰＣａ部分壁１１と、当該延在方向長さＬ１を有する梁４の一部をなすＰＣａ部分梁１２とを一体形成した構成とされている。他の実施形態では、延在方向長さＬ１を有する耐震壁５の一部をなすＰＣａ部分壁１１と、延在方向長さＬ１を有する梁４の一部をなすＰＣａ部分梁１２とが別体として構成され、ＰＣａ部分壁１１の上にＰＣａ部分梁１２が配置されてもよい。
【００３４】
ＰＣａ部材１０の柱２側の第１端面１０ａ及びこれに相反する側（耐震壁５側）の第２端面１０ｂには、複数のシアコッター１３が形成されている。本実施形態では、シアコッター１３は凹部として構成されている。他の実施形態では、シアコッター１３が凸部として構成されてもよく、一方の端面で凹部として構成され、他方の端面で凸部として構成されてもよい。更には、シアコッター１３が１つの端面に形成された凹部と凸部との組み合わせとして構成されてもよい。
【００３５】
ＰＣａ部材１０は、壁横筋５２及び梁主筋４１を内部に含むように構成されている。具体的には、壁厚方向に２列に配置された壁横筋５２が、所定のピッチをもって上下方向に並べられ、壁厚方向に２列に配置された梁主筋４１が壁横筋５２の上方に上下それぞれ２段に並べられている。
【００３６】
壁横筋５２は、柱２側の第１端面１０ａから、少なくとも柱２内に所定の定着長さＬ２をもって進入する長さだけ突出し、且つ耐震壁５側の第２端面１０ｂから、少なくとも所定の重ね継手長さＬ３だけ突出するように設けられている。重ね継手長さＬ３は定着長さＬ２よりも大きな値である。機械式継手が用いられる場合には、第２端面１０ｂからの突出長さは重ね継手長さＬ３や定着長さＬ２よりも短くてもよい。梁主筋４１は、壁横筋５２よりも太径を有するため、ＰＣａ部材１０の端面からの突出する長さも壁横筋５２よりも長くなっている。
【００３７】
他の実施形態では、ＰＣａ部材１０が、予め組み立てたれた壁縦筋５１及び柱２に対する定着長さＬ２を有する定着部を有する壁横筋５２に対し、壁縦筋５１が設けられない部分に壁横筋５２の一部を内部に含むように第２コンクリートを打設した構成とされてもよい。
【００３８】
ＰＣａ部材１０は、最も端に配置されるスターラップ４２及び壁縦筋５１の外側（柱側）、或いは互いに隣接する一対のスターラップ４２の間、且つ延在方向に互いに隣接する一対の壁縦筋５１の間に配置される。つまり、ＰＣａ部材１０は、内部にスターラップ４２や壁縦筋５１が設けられない構成とされている。なお、コンクリート部を補強するための補強筋が上下方向に延在するようにＰＣａ部材１０内に設けられてもよい。或いは、ＰＣａ部材１０がスターラップ４２を内部に含むように構成されてもよい。
【００３９】
図１に示されるように、Ｎ階及びＮ＋２階、・・・においては、ＰＣａ部材１０は、柱２側の第１端面１０ａが柱２の外面に一致する位置に、つまり耐震壁５の端部に設けられる。Ｎ＋１階、Ｎ＋３階、・・・においては、ＰＣａ部材１０は、下階のＰＣａ部材１０に対して柱２から離れる側にオフセットした位置に、つまり耐震壁５の延在方向の中間部に設けられる。
【００４０】
他の実施形態では、Ｎ＋１階、Ｎ＋３階、・・・においてもＰＣａ部材１０が柱２側の第１端面１０ａを柱２の外面に一致させる位置に設けられ、各階のＰＣａ部材１０が上下方向に直線状に連続する配置とされてもよい。或いは、Ｎ階及びＮ＋２階、・・・においてＰＣａ部材１０が、柱２側の第１端面１０ａを柱２から離した位置に設けられ、Ｎ＋１階、Ｎ＋３階・・・においてＰＣａ部材１０が下階のＰＣａ部材１０と同じ位置若しくは第１端面１０ａを柱２から更に離した位置に設けられてもよい。
【００４１】
ＰＣａ部材１０が柱２と同じ第１コンクリート又はそれよりも高強度のコンクリートを用いて製作されている場合には、ＰＣａ部材１０が一部を柱２の内部に進入させ、残りの部分が耐震壁５の端部を構成するように配置されてもよい。
【００４２】
次に、図３〜図６を参照して、ＲＣ建物１の構築方法について説明する。ここでは、ＲＣ建物１のうち、Ｎ階の構築手順を説明する。図１に示されるＰＣａ部材１０は、予め工場やヤードでの製作によって用意しておく。
【００４３】
図３（Ａ）に示されるように、Ｎ階の柱２の鉄筋（柱主筋２１及びフープ筋２２）を組み立てる。Ｎ階においては、Ｎ−１階で組み立てた柱主筋２１や壁縦筋５１が、Ｎ階の床面と同じ高さまで構築されたＮ−１階の柱２や梁４の上面から上方に突出している。Ｎ階の柱主筋２１は、適宜な継手を介してＮ−１階の柱主筋２１に接続する。
【００４４】
次に、図３（Ｂ）に示されるように、ＰＣａ部材１０を搬入する。上記のように梁４の上面からはＮ−１階で組み立てた壁縦筋５１が突出しており、そのままではＰＣａ部材１０を図１に示される所定の位置に配置することができない。そこで、図３（Ｂ２）に示されるように、梁４の上面から突出する壁縦筋５１を左右に倒しておき、図示しないクレーンで吊り上げたＰＣａ部材１０を、第１端面１０ａから突出する梁主筋４１及び壁横筋５２が柱２の鉄筋に干渉しない位置で吊り下ろし、梁主筋４１及び壁横筋５２が所定の位置に進入するように横にスライドさせる。
【００４５】
壁横筋５２を所定の高さに配置した状態でのＰＣａ部材１０の横スライドは、ＰＣａ部材１０が壁縦筋５１のピッチＰ５１よりも小さな延在方向長さＬ１を有し、壁縦筋５１を含んでいないこと、即ちＰＣａ部材１０の下面から壁縦筋５１が突出していないことにより可能になっている。つまり、仮にＰＣａ部材１０が壁縦筋５１のピッチＰ５１よりも以上の長さを有し、壁縦筋５１を内部に含むような一般的な構成とされている場合には、壁縦筋５１をＮ−１階の壁縦筋５１に接続するための継手（機械式継手等）が必要になる。従って、ＰＣａ部材１０を横スライドさせた後に壁縦筋５１を接続することは出来ない、或いは非常に困難である。本実施形態では、壁縦筋５１を内部に含まないように、ＰＣａ部材１０の延在方向長さＬ１が壁縦筋５１のピッチＰ５１よりも小さくされていることにより、壁縦筋５１の継手が不要になっている。
【００４６】
このようにして、図４（Ｃ）に示されるように、ＰＣａ部材１０を壁縦筋５１やスターラップ４２に重ならない所定の位置に配置する。なお、柱２のフープ筋２２を組み立てる前にＰＣａ部材１０を所定の位置に直接吊り下ろして配置してもよい。
【００４７】
その後、図４（Ｄ）に示されるように、耐震壁５の壁縦筋５１及び壁横筋５２を組み立てると共に、梁４の梁主筋４１及びスターラップ４２を組み立てる。壁横筋５２は、ＰＣａ部材１０に一体に設けられて突出する壁横筋５２に重ね継手を介して接続する。梁主筋４１は、追加的に配置した梁主筋４１に適宜な継手（図示例では重ね継手）を介して接続する。つまり、耐震壁５の壁縦筋５１及び壁横筋５２を、ＰＣａ部材１０の壁横筋５２及び梁主筋４１を含めて組み立てる。これにより、ＰＣａ部材１０が所定の位置で固定される。なお、ＰＣａ部材１０が予め組み立てられた壁横筋５２及び梁主筋４１の全てを含むように構成されている場合には、壁縦筋５１の下端部を、Ｎ階の上面から突出する壁縦筋５１に重ね継手により接続するだけでよい。また、床を同時に構築する場合には、図示省略する床の鉄筋も組み立てる。
【００４８】
鉄筋（５１、５２、４１、４２）の組み立て完了後、図５（Ｅ）に示されるように、柱型枠７及び壁・梁型枠８を、柱２の輪郭並びに耐震壁５及び梁４の輪郭に沿って組み立てる。壁・梁型枠８は、ＰＣａ部材１０の位置に関わりのない大きさにするとよく、ＰＣａ部材１０を壁厚方向から挟み込み且つ柱型枠７に結合するように組み立てる。床を同時に構築する場合には、図示しない床の型枠・支保工を組み立てる。Ｎ階では、ＰＣａ部材１０が柱２側の第１端面１０ａを柱２の外面に一致させる位置に配置され、主に壁横筋５２及び壁縦筋５１により固定されており、ＰＣａ部材１０が柱２と耐震壁５及び梁４との境界部に設けられたコンクリート止めとして機能する。
【００４９】
型枠（７、８）の組み立て完了後、図５（Ｆ）に示されるように、第１コンクリートを柱型枠７内に打設してＮ階の柱２を構築する。図には、柱型枠７における第１コンクリートが打設された部分をドットで示している。その後、図６（Ｇ）に示されるように、第２コンクリートを壁・梁型枠８内に打設してＮ階の耐震壁５及び梁４を構築する。図には、壁・梁型枠８における第２コンクリートが打設された部分をドットで示している。なお、床を同時に構築する場合には、図示しない床の型枠上に第２コンクリート又は第３コンクリートを打設する。床を同時に構築しない場合には、先に第２コンクリートを用いて耐震壁５及び梁４を構築し、後から第１コンクリートを用いて柱２を構築してもよい。
【００５０】
コンクリートの硬化後、柱型枠７及び壁・梁型枠８を取り外すことにより、図６（Ｈ）に示されるように、第１コンクリートにより構築された柱２と、第２コンクリートにより構築され、柱２に接合された耐震壁５及び梁４が完成する。Ｎ＋１階の構築は、上記手順を繰り返すことによって行われる。
【００５１】
このように、構築されるＲＣ建物１では、図１及び図２に示されるように、ＰＣａ部材１０が、壁縦筋５１のピッチＰ５１よりも小さな延在方向長さＬ１を有すると共に少なくとも定着長さＬ２分を突出させる態様で壁横筋５２が一体に形成されるため、ＰＣａ部材１０を壁縦筋５１に重ならない位置に設け、コンクリート止めとして機能させることができる。そのため、施工現場においてコンクリート止めを設けることなくコンクリートの打ち分けを行い、第１コンクリートにより構築された柱２と、第２コンクリートにより構築された耐震壁５や梁４と、耐震壁５や梁４の一部を構成するＰＣａ部材１０とを備えたＲＣ建物１を、作業を煩雑にすることなく、また、材料費が高い第１コンクリートを必要以上に多く用いることなく構築することができる。これにより、コスト及び施工手間を抑制することができる。また、ＰＣａ部材１０は延在方向長さＬ１が小さく軽量であるため、施工現場に大型の揚重機が必要になることもない。
【００５２】
ＲＣ建物１のＮ階、Ｎ＋２階、・・・では、ＰＣａ部材１０が柱２と耐震壁５及び梁４との接合部に設けられている。そのため、ＰＣａ部材１０により構成される部分を除く耐震壁５の全体が第２コンクリートにより構築される。また、本実施形態では、ＰＣａ部材１０が、柱２に突入しないように耐震壁５の端部に配置されると共に、第２コンクリートを用いて製作されているため、柱２の全体のみが第１コンクリートにより構築され、耐震壁５の全体及び梁４の全体が第２コンクリートにより構築される。
【００５３】
Ｎ＋１階、Ｎ＋３階、・・・では、図１に示されるようにＰＣａ部材１０が柱２の外面から離間した位置、即ち耐震壁５の延在方向の中間部に設けられるため、柱２並びに、耐震壁５及び梁４における柱２との接合部（離間寸法分）が第１コンクリートにより構築され、耐震壁５及び梁４の残りの部分が第２コンクリートにより構築される。これにより、耐震壁５のＰＣａ部材１０よりも柱２側の端部が第１コンクリートにより構築されることになるが、施工の容易性を考慮して所望の位置にＰＣａ部材１０を設けることができる。また、工区境が耐震壁５の中間部にある場合等には、耐震壁５の延在方向の一部分だけを構築することもできる。
【００５４】
なお、本実施形態では、これらの理由によりＰＣａ部材１０を耐震壁５の延在方向の中間部に設ける必要はないが、図１に示されるようにＰＣａ部材１０が設けられる壁延在方向の位置が階ごとに異なっていることにより、連層耐震壁６を全体として見た際に、第１コンクリートや第２コンクリートがＰＣａ部材１０の下方や上方に突出するよう形成され、この凹凸が大きなせん断コッターとして機能する。そのため、各ＰＣａ部材１０に設けたシアコッター１３を省略することも可能である。
【００５５】
≪第２実施形態≫
次に、図７〜図１０を参照して第２実施形態に係るＲＣ建物１について説明する。なお、第１実施形態と形態又は機能が同一又は同様の要素には同一の符号を付し、重複する説明は省略する。
【００５６】
本実施形態のＲＣ建物１は、第１実施形態の梁４よりも梁幅が大きな梁４を有しており、梁４における柱２との接合部近傍の一部が図７に示されるＰＣａ部分梁１２により構築され、それ以外の大部分が現場打ちのコンクリートによって構築される。梁４の下方又は上方には、第１実施形態と同様の耐震壁５や、耐震性能を有しない壁等の図示しない壁が設けられる。本実施形態では梁４の上方に壁が設けられるものとして説明する。
【００５７】
図７に示されるように、ＰＣａ部分梁１２は、コンクリート部が梁４と同断面を有し、且つ上階の壁縦筋５１（図８参照）のピッチＰ５１及びスターラップ４２のピッチＰ４２よりも小さな延在方向長さＬ１を有する構成とされている。ＰＣａ部分梁１２は、比較的低強度の第２コンクリートを用いて工場やＲＣ建物１の敷地内のヤードで製作される。スターラップ４２のピッチＰ４２は、壁縦筋５１（図８参照）のピッチＰ５１よりも小さくなっている。ＰＣａ部分梁１２の柱２側の第１端面１２ａ及びこれに相反する側（梁４側）の第２端面１２ｂには、図示しない複数のシアコッター１３（図２参照）が形成されているとよい。
【００５８】
ＰＣａ部分梁１２は、梁主筋４１及びスターラップ４２を組み立てた状態で梁主筋４１のみを内部に含むように構成されている。梁主筋４１は、一対の柱２間の全体を構成する長さとされる必要はなく、少なくともＰＣａ部分梁１２の製作時や運搬時に鉄筋籠として形状を維持できる長さとされていればよい。具体的には、水平方向にそれぞれ複数列に並べられた上端筋４１Ｕ及び下端筋４１Ｌが、ＰＣａ部分梁１２の柱２側の第１端面１２ａから、少なくとも柱２内に所定の定着長さＬ２をもって進入する長さだけ突出し、且つ梁４側の第２端面１２ｂから、少なくとも所定の形状維持長さだけ突出するように設けられている。
【００５９】
本実施形態のＰＣａ部分梁１２は、最も端に配置されるスターラップ４２や壁縦筋５１の外側（壁端側）に配置される。つまり、ＰＣａ部分梁１２は、内部にスターラップ４２及び壁縦筋５１が設けられない構成とされている。この実施形態では、ＰＣａ部分梁１２は、柱２側の第１端面１２ａが柱２の外面に一致する位置に配置され、梁４の端部を構成する。他の実施形態では、ＰＣａ部分梁１２は、内部にスターラップ４２が設けられる一方、内部に壁縦筋５１が設けられず且つ壁縦筋５１に重ならない位置に配置される構成とされてもよい。このような構成では、スターラップ４２によりＰＣａ部分梁１２のコンクリート部が補強される。更に他の実施形態では、互いに隣接する一対のスターラップ４２の間にＰＣａ部分梁１２が配置されてもよい。この場合には、ＰＣａ部分梁１２は、柱２の外面から離間した位置に配置され、梁４の延在方向の中間部を構成する。
【００６０】
ＰＣａ部分梁１２が柱２と同じ第１コンクリート又はそれよりも高強度のコンクリートを用いて製作されている場合には、ＰＣａ部分梁１２が一部を柱２の内部に進入させ、残りの部分が耐震壁５の端部を構成するように配置されてもよい。
【００６１】
次に、図８〜図１０を参照して、ＲＣ建物１の構築方法について説明する。ここでは、ＲＣ建物１のうち、Ｎ階の構築手順を説明する。図１に示されるＰＣａ部分梁１２は、予め工場やヤードでの製作によって用意しておく。
【００６２】
図８（Ａ）に示されるように、Ｎ階の柱２の鉄筋（柱主筋２１及びフープ筋２２）を、Ｎ＋１階の床面まで組み立てた後、図示しないクレーンで吊り上げたＰＣａ部分梁１２を、第１端面１２ａから突出する梁主筋４１が柱２の鉄筋に干渉しない位置で吊り下ろし、梁主筋４１が所定の位置に進入するように横にスライドさせる。これにより、図８（Ｂ）に示されるように、ＰＣａ部分梁１２を、柱２側の第１端面１２ａが柱２の外面に一致する所定の位置に配置する。
【００６３】
その後、一対の柱２に架け渡されるように梁４の梁主筋４１、スターラップ４２及び上階の壁縦筋５１を組み立てて固定すると共に、図８（Ｃ）に示されるように、柱２の輪郭並びに壁及び梁４の輪郭に沿って柱型枠７及び梁型枠９を組み立てる。スターラップ４２及び上階の壁縦筋５１は、予めＰＣａ部分梁１２に組み立てられていてもよい。梁型枠９は、ＰＣａ部分梁１２の位置に関わりのない大きさにして柱型枠７に結合するとよく、ＰＣａ部分梁１２を下方及び両側方から挟み込むように組み立てる。これにより、ＰＣａ部分梁１２が柱２と梁４との境界部に設けられたコンクリート止めとして機能する。
【００６４】
型枠の組み立て完了後、図９（Ｄ）に示されるように、第１コンクリートを柱型枠７内に打設してＮ階の柱２を構築する。その後、図９（Ｅ）に示されるように、第２コンクリートを梁型枠９内に打設してＮ階の梁４を構築する。なお、先に第２コンクリートを用いて梁４を構築し、後から第１コンクリートを用いて柱２を構築してもよい。
【００６５】
コンクリートの硬化後、柱型枠７及び梁型枠９を取り外すことにより、図９（Ｆ）に示されるように、第１コンクリートにより構築された柱２と、第２コンクリートにより構築され、柱２に接合された梁４が完成する。Ｎ＋１階の構築は、上記手順を繰り返すことによって行われる。
【００６６】
このように構築されるＲＣ建物１では、図７及び図８（Ａ）、（Ｂ）に示されるように、ＰＣａ部分梁１２が、壁縦筋５１のピッチＰ５１よりも小さな延在方向長さＬ１を有すると共に少なくとも定着長さＬ２分を突出させる態様で梁主筋４１が一体に形成されるため、ＰＣａ部分梁１２を壁縦筋５１に重ならない位置に設け、コンクリート止めとして機能させることができる。そのため、施工現場においてコンクリート止めを設けることなくコンクリートの打ち分けを行い、第１コンクリートにより構築された柱２と、第２コンクリートにより構築された梁４と、梁４の一部を構成するＰＣａ部分梁１２とを備えたＲＣ建物１を、作業を煩雑にすることなく、また、材料費が高い第１コンクリートを必要以上に多く用いることなく構築することができる。これにより、コスト及び施工手間を抑制することができる。また、ＰＣａ部分梁１２は延在方向長さＬ１が小さく軽量であるため、施工現場に大型の揚重機が必要になることもない。
【００６７】
ＲＣ建物１では、図９（Ｆ）に示されるように、ＰＣａ部分梁１２が柱２と梁４との接合部に設けられている。そのため、ＰＣａ部分梁１２により構成される部分を除く梁４の全体が第２コンクリートにより構築される。また、本実施形態では、ＰＣａ部分梁１２が、柱２に突入しないように梁４の端部に配置されると共に、第２コンクリートを用いて製作されているため、柱２の全体のみが第１コンクリートにより構築され、梁４の全体が第２コンクリートにより構築される。
【００６８】
ＰＣａ部分梁１２が柱２の外面から離間した位置、即ち梁４の延在方向の中間部に設けられる場合には、柱２並びに、梁４における柱２との接合部（離間寸法分）が第１コンクリートにより構築され、梁４の残りの部分が第２コンクリートにより構築される。これにより、梁４のＰＣａ部分梁１２よりも柱２側の端部が第１コンクリートにより構築されることになるが、施工の容易性を考慮して所望の位置にＰＣａ部分梁１２を設けることができる。また、工区境が梁４の中間部にある場合等には、梁４の延在方向の一部分だけを構築することもできる。
【００６９】
図１０は、第２実施形態に係るＲＣ建物１の変形例を示している。図１０（Ａ）に示されるように、本変形例では、Ｎ階に設けられる壁の壁縦筋５１が梁４の下方に且つ梁４の内部に進入するように組み立てられている。このような場合、図８（Ａ）に示されたようにＰＣａ部分梁１２を横方向にスライドさせることができない。そこで、このような場合には、Ｎ階の柱２のフープ筋２２を、Ｎ＋１階の床面まで組み立てずに、梁４の内部に配置されるフープ筋２２をＰＣａ部分梁１２の下端筋４１Ｌと上端筋４１Ｕとの間に仮置きしておき、ＰＣａ部分梁１２を吊り下ろすだけで所定の位置に配置する。
【００７０】
これにより、図１０（Ｂ）に示されるように、仮置きされたフープ筋２２が柱主筋２１を取り囲むように配置される。その後、仮置きされたフープ筋２２を所定の位置に配置して柱主筋２１に結束することにより、図１０（Ｃ）に示されるように、ＰＣａ部分梁１２が、柱２側の第１端面１２ａを柱２の外面に一致させた所定の位置に配置されると共に、柱２の柱主筋２１及びフープ筋２２がＮ＋１階の床面まで組み立てられた状態（図８（Ｂ）と同じ状態）にすることができる。以降の手順は図８（Ｃ）〜図９（Ｆ）と同じであるため、図示及び説明を省略する。このような手順でＲＣ建物１を構築しても、第２実施形態と同様の作用効果を得ることができる。
【００７１】
以上で具体的実施形態の説明を終えるが、本発明は上記実施形態に限定されることなく幅広く変形実施することができる。例えば、上記実施形態では、ＲＣ建物１がＲＣ構造の柱２と耐震壁５やその他の壁とにより構成されているが、一部の階層等がＳＲＣ構造やＳ構造等の他の構造とされていてもよい。この他、各部材や部位の具体的構成や配置、数量、角度など、本発明の趣旨を逸脱しない範囲であれば適宜変更可能である。一方、上記実施形態に示した各構成要素は必ずしも全てが必須ではなく、適宜選択することができる。
【符号の説明】
【００７２】
１      ＲＣ建物
２      柱
４      梁（梁間方向）
５      耐震壁（壁）
６      連層耐震壁
７      柱型枠
８      壁・梁型枠（壁型枠）
９      梁型枠
１０    ＰＣａ部材
１１    ＰＣａ部分壁
１２    ＰＣａ部分梁
２１    柱主筋（柱筋）
２２    フープ筋（柱筋）
４１    梁主筋
４２    スターラップ
５１    壁縦筋
５２    壁横筋
Ｌ１    延在方向長さ（壁延在方向長さ、梁壁延在方向長さ）
Ｌ２    定着長さ
Ｐ５１  壁縦筋５１のピッチ
【図１】
0006636345.tif 000002
【図２】
0006636345.tif 000003
【図３】
0006636345.tif 000004
【図４】
0006636345.tif 000005
【図５】
0006636345.tif 000006
【図６】
0006636345.tif 000007
【図７】
0006636345.tif 000008
【図８】
0006636345.tif 000009
【図９】
0006636345.tif 000010
【図１０】
0006636345.tif 000011